(57)【要約】【課題】骨盤の前傾傾向の人は、座位においても腰を反ることで股関節の外転が起こり、腰痛や型肩凝り、目の疲れを誘発するされ、さらに不良姿勢になってしまいます。坐骨と大腿骨を正しい位置に導く大腿骨サポート部に鉛直座位で使用者が座っているだけで、坐骨の起立性を獲得し、骨盤の前傾、歪みを矯正することが出来る。直立機構の回復は、本来の筋支持力も回復もうながすため、脊椎をバランス良く起立させることにもつながり、正しい姿勢で仕事や勉強を長時間続けることが可能になる。【解決手段】固めの発泡フォーム材質をベースに、同素材で２層目に溝を開けて並べる。３層目に、可動性の大腿骨のサポート部Ａを取り付ける。坐骨と大腿骨の分離を意図した大腿骨サポート部に鉛直座位で使用者が座っているだけで、坐骨の起立性を獲得し、骨盤の前傾、歪みを矯正する。【選択図】図１
2008029788.tif 000002
【特許請求の範囲】
【請求項１】
子供の学校や、自宅での勉強の姿勢が問題視されているのに、解決策がみつからないままである。骨盤の前傾傾向の人は長時間座っていると、腰椎に荷重するため、腰だけでなく、背中や首に負担が掛かる。また骨盤の歪みを持つ人は、だんだん尻部が傾き、ねじれを生じた前傾骨盤での座位になってくる。
本発明は、座っているだけで、大腿骨と骨盤の位置関係が把握できるしくみにより、坐骨の起立性を獲得し、骨盤の歪みを矯正し正しい姿勢で座ることが出来る。
よって、座位姿勢に負担を覚えることなく仕事や勉強を長時間続けることが可能になる。
【発明の詳細な説明】
【発明の詳細な説明】
【技術分野】
【０００１】  この発明は、骨盤の前傾、歪みを矯正することで、姿勢の矯正をおこなう座位補正マットである。
【背景技術】
【０００２】  従来の、骨盤矯正マットは大腿部外側をサポートするもので、ソフトタイプやハードタイプに分別される。
【発明が解決しようとする課題】
【０００３】  以上の従来のものによれば、大腿部の外側だけをサポートするため、個人の股関節の転位度を考慮していない、ハードタイプにおいては、サイドと座位部の外界刺激は高いため、遠心性神経による制御および、拒否反応となり、不快になる。ソフトタイプは、骨盤の歪みや前傾に関与する外界刺激は低いため、個体受容性感覚が矯正という筋の反応はみられない。また、本発明は、現代人の人体の状況を把握した上で、負担なく本発明品に座ることにより、容易に姿勢を矯正することを課題とする。
【課題を解決するための手段】
【０００４】  以上の課題を解決するために、請求項１の発明は、固めの発泡フォーム材質の基底層に、同素材で２層目に溝を開けて並べる。同素材３層目に、坐骨と大腿骨の分離させる位置で大腿骨のサポート部Ａを取り付ける。ここに座ることで、前傾傾向の骨盤による大腿骨の外転をふせぎ、股関節内での軸応力を高めることにより、坐骨の起立性を獲得していく。坐骨はＢが基底層に位置することで鉛直に保つことが可能になる。
）
【発明を実施するための最良の形態】
【０００５】  この発明の一実施形態を、図１に示す。
個人によって、骨盤のサイズが異なるため、大腿骨のサポート部Ａを可動性とする。
サポート部Ａ以外は、一体形成でもよい。（３層構造での説明は、構造を解りやすくするためのものであり、こだわらない。構造体は、すべて同素材である）
図１．図２のＡの幅を肩甲骨にあわせ、上に仰向けで寝ることにより、肩甲骨まわりの筋肉を和らげ、背中の緊張を緩和するために用いることも有用である。【０００６】「実施形態の効果」
鉛直座位により、大腿骨のサポート部分に体幹重力がかかることで、大腿の後方筋の調整機能が働きゆるみ、股関節および骨盤近位部、大腰筋、腸骨筋の緊張がとかれる。
人が本来持ち備えている直立機構の回復は、本来の筋支持力も回復もうながすため、脊椎をバランス良く起立させることにもつながる。
サポート部Ａの左右交換が可能な為、アールが内側の場合、坐骨結節に刺激を与えないため、長時間の使用を可能にする。
サポート部Ａのアールが外側の場合、角面が坐骨結節に当たり、大腿の後方筋を積極的にゆるめることによって、より効果的に骨盤周りの筋肉を柔軟にすることが出来る。但し、長時間の使用に適さない。【０００７】「他の実施形態」
図１の実施形態では、Ｄの部分はヒップサポートを目的としていないが、１層高くすることでヒップサポート作用を有効にする。
Ｄを背もたれの高さにすることも可能である。、
図１の実施形態では、適切に座ることも困難な前傾骨盤の人のため、腰椎に負担がかからず、座面に鉛直荷重することをサポートする。【０００８】「他の実施形態」
図２は、同様の使用であるが、持ち運び可能な簡易タイプ可動部Ａを短く、サイズを細くすることで、小さめのイスおよび子供のサイズ用を可能にする。【０００９】「他の実施形態」
図５は、図２より、小さいサイズで幼児用とする。
Ａは固定位置とする。
Ｄは図２より１層もしくはそれ以上に高くし、乗り物、幼児イス用とする。また、１層目を高くし、マット自体を幼児イスとする形態もある。［図６］
本発明のマット構造を有する幼児イスの形態［図７］【００１０】「他の実施形態」
図１．図２の可動部Ａを固定にする。
幅、高さ、アールの向きにより、［０００６］で説明したように積極的矯正用（マットに座り、骨盤や大腿部を前後左右に揺らしたり、動かしたりする）、自然矯正用（大腿部への刺激を抑える）２タイプとする。
３層構造にはこだわらない。
【発明の効果】
以上説明したように、この発明は座位姿勢の崩れを予防するだけでなく、大腿骨の外旋をふせぎ、ハムストリングをゆるめることにより、大腰筋、腸腰筋の緊張が緩み、坐骨で座ることを可能にする。それにより脊椎の起立性を取り戻すことを可能にする。正しい姿勢で座ることが、頭位の水平性、鉛直性を保つことを容易にするため、仕事や勉強を長時間続けることが可能になる。
座位で獲得した姿勢バランスは、立位でも有効である。
【図面の簡単な説明】
【図１】この発明の１実施形態を示す図である。
【図２】この発明の８「他の実施形態」を示す図である。
2008029788.tif 000003
【図５】この発明の９「他の実施形態」を示す図である。
【図６】この発明の９「他の実施形態」を示す図である
【符号の説明】
Ａ  大腿骨のサポート部  取り外し、可動性
Ｂ  坐骨着地部  一層部
Ｃ  ２層部
Ｄ  ［図１］［図２］２層部
［図５］においては、３層から４層の高さ
［図６］においては、５層から６層の高さ
【図１】
2008029788.tif 000004
【図２】
2008029788.tif 000005
【図３】
2008029788.tif 000006
【図４】
2008029788.tif 000007
【図５】
2008029788.tif 000008
【図６】
2008029788.tif 000009
【図７】
2008029788.tif 000010
【手続補正書】
【提出日】平成18年10月16日(2006.10.16)
【手続補正１】
【補正対象書類名】明細書
【補正対象項目名】全文
【補正方法】変更
【補正の内容】
【発明の詳細な説明】
【技術分野】
【０００１】この発明は、骨盤の前傾、歪みを矯正することで、姿勢の矯正をおこなう座位補正マットである。
【技術背景】
【０００２】  従来の、骨盤矯正マットは大腿部外側をサポートするもので、ソフトタイプやハードタイプに分別される。
【発明が解決しようとする課題】
【０００３】  以上の従来のものによれば、大腿部の外側だけをサポートするため、個人の股関節の転位度を考慮していない、ハードタイプにおいては、サイドと座位部の外界刺激は高いため、遠心性神経による制御および、拒否反応となり、不快になる。ソフトタイプは、骨盤の歪みや前傾に関与する外界刺激は低いため、個体受容性感覚が矯正という筋の反応はみられない。また、本発明は、現代人の人体の状況を把握した上で、負担なく本発明品に座ることにより、容易に姿勢を矯正することを課題とする。
【課題を解決するための手段】
【０００４】  以上の課題を解決するために、請求項１の発明は、固めの発泡フォーム材質の基底層に、同素材で２層目に溝を開けて並べる。同素材３層目に、坐骨と大腿骨の分離させる位置で大腿骨のサポート部Ａを取り付ける。ここに座ることで、前傾傾向の骨盤による大腿骨の外転をふせぎ、股関節内での軸応力を高めることにより、坐骨の起立性を獲得していく。坐骨はＢが基底層に位置することで鉛直に保つことが可能になる。）
【発明を実施するための最良の形態】
【０００５】  この発明の一実施形態を、図１に示す。
個人によって、骨盤のサイズが異なるため、大腿骨のサポート部Ａを可動性とする。
サポート部Ａ以外は、一体形成でもよい。（３層構造での説明は、構造を解りやすくするためのものであり、こだわらない。
構造体は、すべて同素材である）
図１．図２のＡの幅を肩甲骨にあわせ、上に仰向けで寝ることにより、肩甲骨まわりの筋肉を和らげ、背中の緊張を緩和するために用いることも有用である。
背もたれサポートとしても利用できる。【０００６】「実施形態の効果」
鉛直座位により、大腿骨のサポート部分に体幹重力がかかることで、大腿の後方筋の調整機能が働きゆるみ、股関節および骨盤近位部、大腰筋、腸骨筋の緊張がとかれる。
人が本来持ち備えている直立機構の回復は、本来の筋支持力も回復もうながすため、脊椎をバランス良く起立させることにもつながる。
サポート部Ａの左右交換が可能な為、アールが内側の場合、坐骨結節に刺激を与えないため、長時間の使用を可能にする。
サポート部Ａのアールが外側の場合、角面が坐骨結節に当たり、大腿の後方筋を積極的にゆるめることによって、より効果的に骨盤周りの筋肉を柔軟にすることが出来る。但し、長時間の使用に適さない。【０００７】「他の実施形態」
図１の実施形態では、Ｄの部分はヒップサポートを目的としていないが、１層高くすることでヒップサポート作用を有効にする。
Ｄを背もたれの高さにすることも可能である。
図１の実施形態では、適切に座ることも困難な前傾骨盤の人のため、腰椎に負担がかからず、座面に鉛直荷重することをサポートする。【０００８】「他の実施形態」
図２は、同様の使用であるが、持ち運び可能な簡易タイプ可動部Ａを短く、サイズを細くすることで、小さめのイスおよび子供のサイズ用を可能にする。【０００９】「他の実施形態」
図５は、図２より、小さいサイズで幼児用とする。
Ａは固定位置とする。
Ｄは図２より１層もしくはそれ以上に高くし、乗り物、幼児イス用とする。また、１層目を高くし、マット自体を幼児イスとする形態もある。［図６］
本発明のマット構造を有する幼児イスの形態［図７］【００１０】「他の実施形態」
図１．図２の可動部Ａを固定にする。
幅、高さ、アールの向きにより、［０００６］で説明したように積極的矯正用（マットに座り、骨盤や大腿部を前後左右に揺らしたり、動かしたりする）、自然矯正用（大腿部への刺激を抑える）２タイプとする。
３層構造にはこだわらない。
【発明の効果】
以上説明したように、この発明は座位姿勢の崩れを予防するだけでなく、大腿骨の外旋をふせぎ、ハムストリングをゆるめることにより、大腰筋、腸腰筋の緊張が緩み、坐骨で座ることを可能にする。それにより脊椎の起立性を取り戻すことを可能にする。
正しい姿勢で座ることが、頭位の水平性、鉛直性を保つことを容易にするため、仕事や勉強を長時間続けることが可能になる。
座位で獲得した姿勢バランスは、立位でも有効である。
【図面の簡単な説明】
【００１１】
【図１】  この発明の１実施形態を示す図である。  図１−１  上面図  図１−２  図１の縦断面図  図１−３  図１の横断面図〔符号の説明〕Ａ部  濃青  大腿骨のサポート部  Ｂ部  白  坐骨着地部  Ｄ部  淡青  大臀部サポート  １．２．３．  縦断面位置  ア．イ．ウ．エ  横断面位置
【図２】  この発明の８「他の実施形態」を示す図である。  図２−１  上面図  図２−２  図２の横断面図〔符号の説明〕Ａ部  濃青  大腿骨のサポート部  Ｂ部  白  坐骨着地部  Ｄ部  淡青  大臀部サポート  アイウエ  横断面位置
【図３】  この発明に鉛直に座った状態をイ断面に座骨が接地し、大腿骨がＡに掛かっている状態を後ろから見た図である。〔符号の説明〕Ａ部  濃青  大腿骨のサポート部  Ｂ部  白  坐骨着地部  Ｄ部  淡青  大臀部サポート  イ  図１−１に記入されている横断面
【図４】  この発明に鉛直に座った状態をイ断面に座骨が接地し、大腿骨がＡに掛かっている状態を横から見た図である。〔符号の説明〕Ａ部  濃青  大腿骨のサポート部  Ｂ部  白  坐骨着地部  Ｄ部  淡青  大臀部サポート
【図５】  この発明の９「他の実施形態」を示す図である。  図５−１  上面図  図５−２  図５−１のア部の横断面図  図５−３  図５−１のイ部の横断面図  図５−４  図５−１のウ部の横断面図〔符号の説明〕Ａ部  濃青  大腿骨のサポート部  Ｂ部  白  坐骨着地部  Ｄ部  濃青  大臀部サポート  ア．イ．ウ．  横断面位置
【図６】  この発明の９「他の実施形態」を示す図である。  図６−１  上面図  図６−２  図６−１のア部の横断面図  図６−３  図６−１のイ部の横断面図  図６−４  図６−１のウ部の横断面図〔符号の説明〕Ａ部  濃青  大腿骨のサポート部  Ｂ部  白  坐骨着地部  Ｄ部  濃青  大臀部サポート  ア．イ．ウ．  横断面位置
【手続補正２】
【補正対象書類名】図面
【補正対象項目名】全図
【補正方法】変更
【補正の内容】
【図１】
2008029788.tif 000011
【図２】
2008029788.tif 000012
【図３】
2008029788.tif 000013
【図４】
2008029788.tif 000014
【図５】
2008029788.tif 000015
【図６】
2008029788.tif 000016
【図７】
2008029788.tif 000017